(57)【要約】【課題】表示装置のバックラントとして用いられる蛍光灯の電極とランプ管端面との隙間の低温化を抑制して、水銀の偏在を防止する。【解決手段】Ｕ字管からなる蛍光灯、あるいは隣接して並設する直管状の蛍光灯において、ランプ管の両端面より導入する給電線を介して電極を内蔵している端部のうち、少なくとも一方の端部を屈折させ、該屈折させた端部の電極と他端部の電極あるいは他方の蛍光灯の電極とは電極配置方向を逆向きとして並設し、一方の電極の放電面となる高温側内端部と、他方の電極のランプ管端面と隙間をあけて対向する低温側外端面とを近接配置し、これら両端部を弾性保持材で保持する構成としている。【選択図】図２
2007287571.tif 000002
【特許請求の範囲】
【請求項１】
Ｕ字管からなる蛍光灯を備え、ランプ管の両端面より導入する給電線を介して電極を内蔵している両側端部のうち、少なくとも一方の端部を屈折させ、該屈折させた端部の電極と他端部の電極とは電極配置方向を逆向きとして並設し、
一方の電極の放電面となる高温側内端部と、他方の電極のランプ管端面と隙間をあけて対向する低温側外端面とを近接配置し、これら両端部を弾性保持材で保持する構成としている表示装置用の照明装置。
【請求項２】
隣接配置する直管状の蛍光灯の少なくとも一方の蛍光灯の電極内蔵端部を屈折して、他方の蛍光灯の電極内蔵部と並設すると共に並設する電極配置方向を逆向きとし、
一方の蛍光灯の電極のランプ管端面と隙間をあけて対向する低温側外端面と、他方の蛍光灯の電極の放電面となる高温側内端面とを近接させ、かつ、これら並列した電極内蔵部の蛍光灯の端部を弾性保持材で外嵌保持する構成としていることを特徴とする表示装置用の照明装置。
【請求項３】
前記電極配置部を近接させる管端部は、両方の管端部を互いに逆向きに屈折させて並設させ、これら管端部の電極配置方向を逆向きとしている請求項１または請求項２に記載の表示装置用の照明装置。
【請求項４】
前記電極配置部を近接させる管端部は、一方の管端部は屈折させずに直線状としていると共に、他方の管端部は２回屈折させて、先端屈折部を他方の管端部と平行とし、この平行配置される管端部の電極配置方向を逆方向としている請求項１または請求項２に記載の表示装置用の照明装置。
【請求項５】
前記近接配置した管端部を外嵌保持する弾性保持材は、該管端部の対向する周面の間に空気溜め用空間を設けている請求項１乃至請求項４のいずれか１項に記載の表示装置用の照明装置。
【請求項６】
前記蛍光灯は冷陰極管からなる請求項１乃至請求項５のいずれか１項に記載の表示装置用の照明装置。
【請求項７】
請求項１乃至請求項６のいずれか１項に記載の照明装置を、バックライトあるいはサイドライトとして配置し、前記蛍光灯の弾性保持材で保持された電極内蔵部が、表示部の外縁より外周側に位置されていることを特徴とする表示装置。
【発明の詳細な説明】
【技術分野】
【０００１】
本発明は、表示装置用の照明装置に関し、特に、液晶表示装置用のバックライト等に用いられる蛍光灯の長寿命化を図るものである。
【背景技術】
【０００２】
従来、表示装置のバックライト、サイドライト等の照明装置において、冷陰極管からなる蛍光灯が用いられている場合が多い。
図１４に示すように、通常、蛍光灯１は水銀Ｈｇを封入した円筒状のランプ管２の軸線方向の両側に、給電線３、３に接続された電極４、４を内蔵し、この両側をゴムホルダー５、５で外嵌保持する構成とされている。
前記ランプ管２の両端面２ａ、２ｂと両側の電極４、４の外端面４ａ、４ａとはそれぞれ給電線３、３の突出量Ｌに対応した隙間Ｃ１、Ｃ２があり、かつ、前記ゴムホルダー５、５によりランプ管２の端面２ａ、２ｂから電極４、４の内端面４ｂ、４ｂに近接する位置まで外嵌した構成とされている。
【０００３】
前記構成からなる蛍光灯１の温度分布は、電極４、４の内端面４ｂ、４ｂが放電面となるため最も高温となる。一方、外端面４ａ、４ａは内端面４ｂ、４ｂよりも温度が低いと共にゴムホルダー５、５にランプ管２の外周面が接触していることもあり、電極外端面４ａ、４ａとランプ管両端面２ａ、２ｂの隙間Ｃ１、Ｃ２の領域が最低温部となる。この現象は、ゴムホルダー５として、例えばシリコーンゴムを用いた場合、シリコーンゴムの熱伝導率は空気の熱伝導率と比較して５〜１０倍であるため、シリコーンゴム製のホルダーよりガラス管の熱が放熱されることに起因すると認められる。
【０００４】
ランプ管２内に封入されている水銀２は温度が低い部分に集まる傾向があるため、水銀Ｈｇに図１４に示すように、ランプ管２の両端部の前記隙間Ｃ１、Ｃ２に偏在し、両側の電極４、４に挟まれたランプ管２の中央領域２ｃでは水銀量が減少し、極端な場合には水銀が枯渇することとなる。このように、水銀Ｈｇの移動と偏在が生じると、蛍光灯１が短命化すると共に、点灯初期時には輝度の立ち上がりがおくれ、輝度ムラが発生する等の問題がある。
【０００５】
蛍光灯の温度差に関する従来技術として、特開２００５−２６８０２８号公報（特許文献１）が提供されている。この特許文献１では、図１５に示すように、Ｕ字管からなる蛍光灯６を短ピッチで多数並列した場合において、一端側の電極配置部Ｘと他端側の曲がり部Ｙとの間で発生する温度差を、電極配置部Ｘと曲がり部Ｙとを交互に配置することで、温度差を軽減している。
【０００６】
【特許文献１】特開２００５−２６８０２８号公報
【発明の開示】
【発明が解決しようとする課題】
【０００７】
前記特許文献１で用いられている蛍光灯６も、その請求項１に記載されているように、ランプ管の内部に導入線と接続された電極が配置されており、かつ、電極配置部Ｘ側および曲がり部Ｙの両側は段落番号「００１３」に記載されているようにゴムホルダー７で保持され、前記図１２に示す構成の蛍光灯１と同一の構成である。
よって、Ｕ字管とした各蛍光灯６において、前記した電極配置部Ｘにおいて、電極の外端面とランプ管の先端面との間の空隙が最低温部となり、この最低温部の隣接配置される蛍光灯の曲がり部Ｙが隣接すると加熱されず、記載されている温度差を軽減できる効果は少ないと認められる。
また、特許文献１では、電極配置部Ｘの配置方向が交互に逆になるため、給電機構が複雑になる問題がある。さらに、蛍光灯をＵ字管として短ピッチで並列する構成に限られ、１本の蛍光灯単体で温度差を解消できる構成とされておらず、蛍光灯の形状および配列パターンが限定され、蛍光灯の形状および配置パターンの設計の自由度が無い問題がある。
【０００８】
本発明は、前記した問題に鑑みてなされたもので、特に、蛍光灯のランプ管内部の両側に配置される電極の放電側内端面とランプ端側の外端面側との温度差を、１本の蛍光灯単体で解消できると共に、複数の蛍光灯を並列した場合にも解消でき、いずれの場合も蛍光灯の長寿命化および輝度の均一化を図ることができ、しかも、蛍光灯の形状も１種類の形状に限定されず設計の自由度を高めることを課題としている。
【課題を解決するための手段】
【０００９】
前記課題を解決するため、第１に、１本の蛍光灯単体で温度差を解消できる蛍光灯を備えた表示装置用の照明装置を提供している。
該照明装置は、Ｕ字管からなる蛍光灯を備え、ランプ管の両端面より導入する給電線を介して電極を内蔵している両側端部のうち、少なくとも一方の端部を屈折させ、該屈折させた端部の電極と他端部の電極とは電極配置方向を逆向きとして並設し、一方の電極の放電面となる高温側内端部と、他方の電極のランプ管端面と隙間をあけて対向する低温側外端面とを近接配置し、これら両端部を弾性保持材で保持する構成としている。
【００１０】
本発明は、第２に、複数本の蛍光灯を並列配置する場合に、隣接する蛍光灯を利用して温度差を解消できる蛍光灯を備えた表示装置用の照明装置を提供している。
該装置は、隣接配置する直管状の蛍光灯のうち、少なくとも一方の蛍光灯では、ランプ管の端面より導入する給電線を介して電極を内蔵している管端部を屈折して、他方の蛍光灯の電極内蔵部と並設すると共に並設する電極配置方向を逆向きとし、一方の蛍光灯の電極のランプ管端面と隙間をあけて対向する低温側外端面と、他方の蛍光灯の電極の放電面となる高温側内端面とを近接させ、かつ、これら並列した電極内蔵部の蛍光灯の端部を弾性保持材で外嵌保持する構成としている。
【００１１】
前記第１の発明のＵ字管からなる蛍光灯および第２の発明の直管状の蛍光灯のいずれにおいても、ガラス管からなるランプ管の内面には蛍光体膜を形成し、該ランプ管の内部に水銀および１種類以上の希ガスを封入し、ランプ管の両側端面を前記給電線を通して機密に封止し、該ランプ管の端部から導出した給電線をリード線と接続している。
【００１２】
前記第１の発明のＵ字管の蛍光灯において電極内蔵の管端部を屈折させる場合、および前記第２の発明の隣接配置する蛍光灯の電極内蔵の管端部を屈折させる場合のいずれの場合においても、屈折形状は、例えば、両方の管端部を互いに逆向きに屈折させて並設させ、これら管端部の電極配置方向を逆向きとしている。
具体的には、第１の発明のＵ字管では、平行配置される両側部の電極内蔵端部を、互いに近接方向に直角曲げして、一方の電極の高温側内端面と他方の電極の低温側外端面の位置を一致させている。
第２の発明の隣接配置する蛍光灯の場合、平行配置される直管状の蛍光灯の両端の電極内蔵端部のみを屈折し、第１の発明と同様に、互いに近接方向に直角曲げして、一方の蛍光灯の電極の高温側内端面と他方の蛍光灯の電極の低温側外端面の位置を一致させている。
【００１３】
他の電極内蔵の管端部を屈折させる形態として、第１の発明のＵ字管では、平行配置する一方側の管端部は屈折させずに直線状としていると共に、他方側の管端部は２回屈折させて、先端屈折部を他方の管端部と平行とし、この平行配置される管端部の電極配置方向を逆方向としている。
第２の発明の隣接配置する蛍光灯の場合、平行配置する一方の蛍光灯の管端部は屈折させずに直線状としていると共に、他方の蛍光灯の側の対向する管端部は２回屈折させて、先端屈折部を他方の管端部と平行とし、この平行配置される２本の蛍光灯の管端部の電極配置方向を逆方向としている。
【００１４】
前記した第１の発明では、１本の蛍光灯において、ランプ管形状をＵ形管とすると共に。その対向配置する両側部の電極を内蔵している端部の屈折させ、電極配置方向を逆向きとすることで、一方の電極のランプ端面と隙間をあけて電極の低温側外端面を、他方の電極の放熱面となる高温側内端面で加熱することができる。よって、この両方の電極内蔵端部を熱伝導率の良い弾性保持材で保持しても、電極の低温側外端面とランプ端面との間の最低温の隙間の温度を上昇させることができ、この両側の隙間に水銀が集まって偏在することを防止できる。その結果、該蛍光灯の長寿命化を図ることが出来ると共に、両側の電極内蔵端部の間に挟まれる曲げ部を含む中央領域に水銀を均等に存在させて、輝度の均質化も図ることができる。
かつ、該構成とすると、１本の蛍光灯単体で温度差を解消でき、隣接する他の蛍光灯を利用して温度差を解消する必要はないため、蛍光灯の配置パターンの自由度を高めることが出来る。
さらに、Ｕ字管とした場合、略直管状として電源内蔵端部を屈折したいずれの場合も、給電線との接続側は同一側とすることができ、給電線との接続方向が交互に配置される前記従来例と比較して給電機構を簡単にできる利点もある。
【００１５】
また、蛍光灯を隣接配置する第２の発明においても、第１の発明と同様で、一方の蛍光灯の電極内蔵の端部を屈折させて、他方の蛍光灯の電極内蔵部の端部と近接させると共に電極配置方向を逆向きとしていることで、これら隣接配置する２本の蛍光灯の各両側の電極の低温側外端面とランプ端面との間の最低温の隙間を暖めことができ、２本の蛍光灯の両側の前記隙間に水銀が集まって偏在することを防止できる。
この蛍光灯を隣接配置する場合、第１の発明の蛍光灯のようにＵ字管とせずに、電極内蔵部の端部のみを屈折させればよく、蛍光灯を略直管状とすることができる。
【００１６】
前記いずれの形態においても、前記近接配置した電極内蔵の管端部を外嵌している弾性保持材は、該管端部の対向する周面の間に空気溜め用空間を設けていることが好ましい。
このように、空気溜め用空間を設けることで、空気より熱伝導率が良いゴム等からなる弾性保持材で保持しても、空気溜め用空間での空気により放熱を抑制でき、ランプ端面と電極の低温側外端面との間の隙間の温度低下を抑制することができる。
前記弾性保持材は、前記蛍光ランプを照明装置のフレームに係止保持するためのゴムホルダーからなり、ゴムホルダーで蛍光灯の端部を保持することで、蛍光灯に負荷される振動を吸収できると共に、導電線を絶縁保持することができる。
【００１７】
前記蛍光灯は冷陰極管からなることが好ましいが、冷陰極管に限定されず、例えば、温陰極管でも可能である。
【００１８】
さらに、本発明では、前記した構成の記載の照明装置を、バックライトあるいはサイドライトとして配置していることを特徴とする液晶表示装置等の表示装置を提供している。
その際、前記蛍光灯の電極配置部の端部は表示部の領域には位置させず、表示部の外周に位置させている。
【発明の効果】
【００１９】
上述したように、第１の発明のＵ字管からなる蛍光灯では、少なくとも一端側の電極内蔵部を屈折させて、他端側の電極配置部と近接して並設させると共に、電極配置方向を逆向きとするだけで、弾性保持材で保持する両方の電極内蔵端部において、電極の低温側外端面と対向するランプ管端との間の隙間の温度低下を抑制できる。よって、このランプ端の両端の隙間に水銀が集まって偏在することを防止でき、電極間に挟まれた表示領域に位置する中央領域の水銀を枯渇させず、蛍光灯の長寿命化を図ることができると共に、照明時において輝度ムラを発生させない利点を有する。
かつ、前記Ｕ字管では、従来例のような隣接配置する蛍光灯を利用して温度差の発生を防止しているのではなく、１本のＵ字管単体で温度差の発生を防止しているため、蛍光灯の配置パターンに制約をうえず、設計の自由度を高めることができる。
【００２０】
また、第２の発明の複数本を並設配置する蛍光灯でも、２本１組とし、一方の蛍光灯の電極内蔵の端部を屈折させて、他方の蛍光灯の電極内蔵部と近接して並設させると共に、電極配置方向を逆向きとするだけで、弾性保持材で保持する両方の電極内蔵端部において、電極の低温側外端面と対向するランプ管端との間の隙間の温度低下を抑制できる。よって、このランプ端の両端の隙間に水銀が集まって偏在することを防止でき、電極間に挟まれた表示領域に位置する中央領域の水銀を枯渇させず、蛍光灯の長寿命化を図ることができると共に、照明時において輝度ムラを発生させない利点を有する。
このように、並列配置する複数本の蛍光灯はＵ字管とせずに略直管状としながら、電極内蔵端部のみを屈折させるだけで、各蛍光灯における温度差を解消し、蛍光灯の長寿命化を図ることができる。
【発明を実施するための最良の形態】
【００２１】
以下、本発明の表示装置用の蛍光灯を備えた照明装置の実施形態を図面を参照して説明する。
図１乃至図４は第１実施形態のバックライトからなる照明装置を示し、複数のＵ字管からなる蛍光灯１０を並列し、反射ケース１００の表面全面に沿って配置している。
【００２２】
各蛍光灯１０は、図１、図２に示すように、Ｕ字管からなり、ガラス製のランプ管１１は２つ折り状のＵ字形状と、近接して平行配置される長さ方向の両端部には、互いに近接する方向に直角曲げした屈折部１１ａ、１１ｂとし、かつ、これら屈折部１１ａを屈折部１１ｂの内側に配置して並設させている。前記屈折部１１ａには給電線１２ａをランプ管端面１１ｃより管内部に導入し、その先端に第１電極１３を配置している。一方の屈折部１１ｂにも、同様に、給電線１２ｂをランプ管端面１１ｄより管内部に導入し、その先端に第２電極１４を配置している。前記第１電極１３、第２電極１４はそれぞれランプ管端面１１ｃ、１１ｄと給電線１２ａ、１２ｂの長さ寸法Ｌをあけて配置しているため、これら第１、第２電極１３、１４とランプ管端面１１ｃ、１１ｄとの間には夫々隙間Ｃ１、Ｃ２が存在している。
【００２３】
前記のように屈折部１１ａ、１１ｂを互いに近接する方向に直角曲げして並設させることで、第１電極１３と第２電極１４とは電極配置方向を逆向きとしている。かつ、第１電極１３のランプ管端面１１ｃと対向する低温側外端面１３ａが、外側の第２電極１４の放電面となる高温側内端面１４ｂと同一線上に位置させている。よって、第２電極１４のランプ管端面１１ｄと対向する低温側外端面１４ａが、内側の第１電極１３の放電面となる高温側内端面１３ｂと同一線上に位置させている。
【００２４】
前記形状とした蛍光灯１０は、公知の蛍光灯と同様に、ランプ管１１の内面に蛍光体膜１８を形成し、ランプ管内部に水銀Ｈｇと１種類以上の希ガスを密封している。
【００２５】
前記第１電極１３を内蔵した屈曲部１１ａ、第２電極１４を内蔵した屈曲部１１ｂとは、ゴムホルダー１６で外嵌保持している。ゴムホルダー１６は、図４に示すように、一端面に開口した第１溝１６ａと他端面に開口した第２溝１６ｂを平行に設けている。
【００２６】
前記第１溝１６ａに第１電極１３を内蔵した屈折部１１ａを密着させて挿入し、第２溝１６ｂに第２電極１４を内蔵した屈折部１１ｂを密着させて挿入している。第１電極１３と接続した給電線１２ａを第１溝１６ａと第２溝１６ｂの間を挿通して外部に引き出し、第２電極１４の給電線１２ｂも同一方向に引き出し、外部の給電コード（図示せず）と接続している。
【００２７】
前記ゴムホルダー１６は１本の蛍光灯１０毎に各１個ずつ独立して装着してもよいが、図５に示すように、並列配置する多数のＵ字管からなる蛍光灯１０を１部材からなるゴムホルダー１６で保持している。該ゴムホルダー１６では第１溝１６ａ、第２溝１６ｂの開口位置に内側端面１６ｃより切り込んだ挿入用開口１６ｄを設けている。この挿入用開口スリット１６ｄを通して、並設する蛍光灯１０の屈折部１１ａ、１１ｂを第１溝１６ａ、第２溝１６ｂに挿入している。
前記構成とすると、多数並列配置する蛍光灯１０のゴムホルダー１６を１部材で構成することができ、部品点数を削減することができる。
【００２８】
蛍光灯１０は前記構成としていることで、第１電極１３の低温側外端面１３ａとランプ管端面１１ｃとの間の隙間Ｃ１は第２電極１４の高温側内端面１４ｂと近接配置されるため加熱される。同様に、第２電極１４の低温側外端面１４ａとランプ管端面１１ｄとの間の隙間Ｃ２は第１電極１３の高温側内端面１３ｂと近接配置されるため加熱される。
このように、Ｕ字管からなる蛍光灯１０の両側管端部の第１電極１３、第２電極１４とランプ管端面１１ｃ、１１ｄとの間の隙間Ｃ１、Ｃ２が加熱されることで、第１電極１３と第２電極１４との挟まれた他端側の曲げ部１７を含む中央領域Ｓとの温度との差異が減少できる。よって、ランプ管１１内に封入された水銀Ｈｇがランプ管１１の両端の隙間Ｃ１、Ｃ２に集まることを防止できる。
【００２９】
前記構成とした蛍光灯１０は、隣接配置する蛍光灯を利用することなく、１本の蛍光灯１０の単体だけで、蛍光灯１０に従来発生していた温度差を解消でき、蛍光灯１０の長寿命化を図ることができる。また、表示領域に位置する蛍光灯１０の中央領域Ｓ内の水銀量を減少させないため、輝度ムラの発生を防止することもできる。
また、熱伝導率は高いが蛍光灯１０の両端を弾性保持できるゴムホルダー１６で蛍光灯１０を保持して給電線を電極１３、１４に配線できるため、蛍光灯１０に負荷される振動もゴムホルダー１６で吸収することができる。
【００３０】
図６はゴムホルダーの変形例を示し、第１溝１６ａと第２溝１６ｂとの間に空気溜め用空間１６ｅを設けてもよい。
前記空気溜め用空間１６ｅを設けることで、加熱空気を溜めてゴムホルダー１６自体を保温して隙間Ｃ１、Ｃ２の温度低下を抑制することができる。
【００３１】
図７、図８は第２実施形態を示す。
第２実施形態もＵ字管からなる蛍光灯２０であって、その電極内蔵端部の屈折形態を第１実施形態と相違させている。  
図７に示すように、近接して平行配置される長さ方向の一端部は、ランプ管２１は２度直角曲げして、先端側の屈折部２１ａを中央領域Ｓと平行配置している。この屈折部２１ａ内には第１電極１３を内蔵している。
他端部には屈折部を設けずに直管部２１ｂのままとして、第２電極１４を内蔵している。この第２電極１４の配置部は、前記屈折部２１ａの第１電極１３と近接させて並設している。
【００３２】
前記のように第１電極１３と第２電極１４の配置方向は逆向きとなり、第１実施形態と同様に、第１電極１３のランプ管端面２１ｃと対向する低温側外端面１３ａが、外側の第２電極１４の放電面となる高温側内端面１４ｂと同一線上に位置する。また、第２電極１４のランプ管端面２１ｄと対向する低温側外端面１４ａが、内側の第１電極１３の放電面となる高温側内端面１３ｂと同一線上に位置する。
これにより、隙間Ｃ１、Ｃ２が隣接する高温側内端面１３ｂ、１４ｂにより加熱される。  前記第２実施形態の蛍光灯２０も複数本を並設配置してバックライトを構成しており、他の構成は同様であり、他の蛍光灯を利用せずに１本の蛍光灯単体で温度差を解消できる作用効果を有する。
【００３３】
図９、図１０は第３実施形態を示す。
第３実施形態は、各蛍光灯は二つ折したＵ字管とはせずに、略直管状とし、多数本を平行配置して、バックライトを構成している。
前記多数本配置する蛍光灯は隣接して平行配置する２本の蛍光灯３０、４０を１組とし、一方の蛍光灯３０のランプ管３１では、第１電極１３と第２電極１４を内蔵した両端部のみを同一向きに直角曲げして屈折部３１ａ、３１ｂとしている。
他方の蛍光灯４０のランプ管４１では、同様で、第１電極１３と第２電極１４を内蔵した両端部のみを同一向きに直角曲げして屈折部４１ａ、４１ｂとし、かつ、該曲げ方向は前記蛍光灯３０とは逆向きとしている。
かつ、一端側では、蛍光灯３０の屈折部３１ａを蛍光灯４０の屈折部４１ａの内側に近接して並設し、他端側では、蛍光灯３０の屈折部３１ｂを蛍光灯４０の屈折部４１ｂより外側に近接して並設している。
【００３４】
前記蛍光灯３０、４０の近接配置する一端側の屈折部３１ａ、４１ａ、他端側の屈折部３１ｂ、４１ｂとは、それぞれ１個ゴムホルダー１６で第１実施形態と同様に外嵌している。他の構成は第１実施形態と同様で、同一の符号を付して説明を省略する。
【００３５】
前記構成とすると、前記１本のＵ字管の蛍光灯１０の両端を直角曲げした第１実施形態と同様な構成となる。
即ち、蛍光灯３０と４０の一端側では、蛍光灯３０の第１電極１３は、蛍光灯４０の第１電極１３とが電極配置方向を逆向きとなり、蛍光灯３０の第１電極１３のランプ管端面３１ｃと対向する低温側外端面１３ａが、蛍光灯４０の第１電極１３の放電面となる高温側内端面１３ｂと同一線上に位置する。また、蛍光灯３０の低温側外端面１３ｂが蛍光灯４０の第１電極１３の放電面となる高温側内端面１３ｂと同一位置となる。よって、蛍光灯３０、４０の隙間Ｃ１、Ｃ１は互いに他方の蛍光灯の高温側内端面１３ｂで加熱される。蛍光灯３０と４０との他端側においても同様な構成となり、蛍光灯３０の第２電極１４と蛍光灯４０の第２電極１４の電極配置方向は逆向きとなり、よって、とランプ管端との間の隙間Ｃ２、Ｃ２が他方の蛍光灯の高温側内端面１４ｂで加熱される。
【００３６】
図１１および図１２は第４実施形態を示す。
第４実施形態は、第３実施形態と同様に、各蛍光灯は二つ折したＵ字管とはせずに、略直管状とし、多数本を平行配置して、バックライトを構成している。
前記多数本配置する蛍光灯は隣接して平行配置する２本の蛍光灯５０、６０を１組とし、一方の蛍光灯５０では、ランプ管５１の一端部は２度直角曲げして、先端側の屈折部５１ａを中央領域Ｓと平行配置している。第２電極１４を内蔵している他端部は屈折せずに直管部５１ｂのままとしている。
他方の蛍光灯６０では、ランプ管６１の第１電極１３を内蔵している一端部は屈折せずに直管部６１ａとし、他端部は２度曲げして、先端側の屈折部６１ｂに第２電極を内蔵している。
【００３７】
前記のように蛍光灯５０と６０の第１電極１３同士、第２電極１４同士の配置方向は逆向きとなり、第２実施形態と同様に、蛍光灯５０の第１電極１３のランプ管端面５１ｃと対向する低温側外端面１３ａが、蛍光灯６０の第１電極１３の放電面となる高温側内端面１３ｂと同一線上に位置する。また、蛍光灯６０の第１電極１３のランプ管端面６１ｃと対向する低温側外端面１３ａが、蛍光灯５０の第１電極１３の放電面となる高温側内端面１３ｂと同一線上に位置する。よって、蛍光灯５０、６０の隙間Ｃ１、Ｃ１は互いに他方の蛍光灯の高温側内端面１３ｂで加熱される。
蛍光灯５０と６０との他端側においても同様な構成となり、第２電極１４とランプ管端との間の隙間Ｃ２、Ｃ２が他方の蛍光灯の高温側内端面１４ｂで加熱される。
【００３８】
図１３は第４実施形態の変形例を示し、一対の蛍光灯５０と６０のうち、一方の蛍光灯５０側は両端を二度曲げして先端側の屈折部５１ｅ、５１ｆに第１電極１３と第２電極１４とを内蔵している。他方の蛍光灯６０側の第１電極１３と第２電極１４を内蔵して両端部６１ｅ、６１ｆとも屈折せずに直管としている。
【００３９】
前記第１〜第４実施形態では、いずれも蛍光灯１０〜６０を複数本並列配置して表示装置のバックライトからなる照明装置を構成しているが、第１、第２実施形態のＵ字管からなる蛍光灯１０、２０を１本あるいは複数本を表示装置の表示部の側方に配置してサイドライトとしてもよい、同様に、第３実施形態の１組の蛍光灯３０と４０、第４実施形態の１組の蛍光灯５０と６０とを並設して配置してサイドライトとしてもよい。
【産業上の利用可能性】
【００４０】
本発明の照明装置は、液晶表示装置を含むフラットパネルディスプレイのバックライトとして特に好適に用いられるが、他の構成のフラットパネルディスプレイの照明装置として適用できる。さらに、フラットパネルディスプレイにかぎらず、蛍光灯を用いる照明装置一般に利用することができる。
【図面の簡単な説明】
【００４１】
【図１】本発明の第１実施形態のバックライトからなる表示装置用の照明装置を示す正面図である。
【図２】前記照明装置で用いる蛍光灯を示す図面である。
【図３】前記蛍光灯の要部拡大断面図である。
【図４】（Ａ）は前記蛍光灯を端部を保持するゴムホルダーの断面図、（Ｂ）は該ゴムホルダーで蛍光灯端部を保持している状態を示す断面図である。
【図５】ゴムホルダーの変形例を示す図面である。
【図６】ゴムホルダーの別の変形例を示す図面である。
【図７】第２実施形態の照明装置示す正面図である。
【図８】第２実施形態の蛍光灯の拡大図である。
【図９】第３実施形態の照明装置を示す正面図である。
【図１０】第３実施形態の蛍光灯の拡大図である。
【図１１】第４実施形態の照明装置を示す正面図である。
【図１２】第４実施形態の蛍光灯の拡大図である。
【図１３】第４実施形態の変形例の蛍光灯を示す図面である。
【図１４】従来の蛍光灯を示す図面である。
【図１５】従来例のバックライトを示す図面である。
【符号の説明】
【００４２】
１０、２０  Ｕ字管からなる蛍光灯
１１  ランプ管
１１ａ、１１ｂ  屈折部
１１ｃ、１１ｄ  ランプ管端面
１２  給電線
１３  第１電極
１４  第２電極
１３ａ、１４ａ  低温側外端面
１３ｂ、１４ｂ  高温側内端面
１６  ゴムホルダー
３０、４０、５０、６０  直管状の蛍光灯
Ｃ１、Ｃ２  隙間
Ｈｇ  水銀
【図１】
2007287571.tif 000003
【図２】
2007287571.tif 000004
【図３】
2007287571.tif 000005
【図４】
2007287571.tif 000006
【図５】
2007287571.tif 000007
【図６】
2007287571.tif 000008
【図７】
2007287571.tif 000009
【図８】
2007287571.tif 000010
【図９】
2007287571.tif 000011
【図１０】
2007287571.tif 000012
【図１１】
2007287571.tif 000013
【図１２】
2007287571.tif 000014
【図１３】
2007287571.tif 000015
【図１４】
2007287571.tif 000016
【図１５】
2007287571.tif 000017